(57)【要約】  刺激パルスと、その後に続く、刺激経路内のコンデンサの電荷をクリアするための能動的再充電パルスとを持つ刺激波形を提供することによって、生理学的信号を検知する装置および方法を提供する。能動的再充電パルスの後に続いて受動的再充電期間があり、次いで再充電のない期間がある。検知された生理学的信号内のアーチファクトの非神経学的発生源は、短い受動的再充電期間と、その後に続く長い充電のない期間とを設けることによって処理され得る。これは、受動的再充電の前に能動的再充電パルスを使用することによって可能となる。充電のない期間には、刺激電極からアースへのあらゆる低インピーダンス経路をなくし、これは、検知回路の増幅器が、検知電極に現れる心臓信号などの非神経学的信号の同相除去をもたらすことを可能にする。
2020508739.tif 000002
【特許請求の範囲】
【請求項１】
刺激出力(stimulation output)と、
前記刺激出力に波形を提供する刺激エンジンであって、前記波形は、刺激パルス、その後に続く能動的(active)再充電パルス、その後に続く受動的(passive)再充電、その後に続く再充電のない期間を含む刺激エンジンと、
第１の検知入力と、
前記第１の検知入力に接続される差動増幅器と、
前記再充電のない期間の少なくとも一部の間に、前記差動増幅器から生理学的信号を取得するコントローラであって、前記刺激エンジンに前記波形を繰り返し生成させるコントローラと、
を備える、埋込型医療装置。
【請求項２】
前記コントローラは、前記再充電のない期間の少なくとも一部の間に加えて、前記受動的再充電の少なくとも一部の間に、前記差動増幅器から生理学的信号を取得する、請求項１に記載の埋込型医療装置。
【請求項３】
前記受動的再充電は、２６４〜３９６マイクロ秒の時間行われる、請求項１または２に記載の埋込型医療装置。
【請求項４】
前記刺激エンジンは、前記刺激パルスの終了後、前記能動的再充電パルスを提供する前に、６４〜９６マイクロ秒停止する、請求項１から３までのいずれか一項に記載の埋込型医療装置。
【請求項５】
前記刺激エンジンは、前記能動的再充電パルスの終了後、前記受動的再充電を提供する前に、８〜１２マイクロ秒停止する、請求項１から４までのいずれか一項に記載の埋込型医療装置。
【請求項６】
前記コントローラは、ある時間にわたって発生する検知された前記生理学的信号のピークを閾値と比較し、前記閾値を超える各前記ピーク間の平均時間を計算し、各前記ピーク間の前記平均時間が特定された範囲内にある場合は、前記刺激パルスが発生した後、前記刺激エンジンに、前記能動的再充電パルスおよびその後に続く前記受動的再充電を含めさせ、前記各ピーク間の前記平均時間が前記特定された範囲外にある場合は、前記刺激パルスが終了した後、前記刺激エンジンに、前記能動的再充電パルスの代わりに前記受動的再充電だけを含めさせる、請求項１から５までのいずれか一項に記載の埋込型医療装置。
【請求項７】
前記各ピーク間の前記平均時間が前記特定の範囲内にあり、かつ前記特定の範囲が０．３７５秒から１．５秒にわたる場合、前記ピークは心臓の活動のピークと一致する、請求項６に記載の埋込型医療装置。
【請求項８】
前記能動的再充電パルスは、基準パルスの振幅を持ち、前記コントローラは、前記差動増幅器から取得された前記生理学的信号のピーク値を測定し、次の波形の前記刺激パルスが終了した後、前記刺激エンジンは、前記基準パルスの振幅と異なる第１の調整されたパルスの振幅を持つ能動的再充電パルスを提供し、前記刺激エンジンは、前記コントローラが、前記ピーク値を設定された回数だけ測定し続け、前記能動的再充電パルスの振幅が、前記能動的再充電パルスを提供するそれぞれの時点の直前の前記能動的再充電パルスの振幅とは異なる前記波形を繰り返し、前記コントローラは、どの能動的再充電パルスの振幅が最小ピーク値に対応するかを判断し、前記刺激エンジンは、繰り返された前記波形の前記能動的再充電パルスが、前記最小ピーク値に対応すると判断された前記能動的再充電パルスの振幅を持つ場合、前記波形を繰り返し続ける、請求項１から７までのいずれか一項に記載の埋込型医療装置。
【請求項９】
第２の検知入力をさらに備え、前記差動増幅器は、前記第１および前記第２の検知入力で検知されている生理学的信号に差動増幅を適用するために、前記第２の検知入力からの前記生理学的信号を受信する、請求項１から８までのいずれか一項に記載の埋込型医療装置。
【請求項１０】
前記生理学的信号は、前記第１の検知入力と前記第２の検知入力との間の差動信号として生じる神経学的(neurological)信号を含み、一方前記生理学的信号は、前記第１の検知入力と前記第２の検知入力との間の同相信号として生じる心臓信号を含み、前記第１の検知入力で検知された前記生理学的信号と前記第２の検知入力で検知された前記生理学的信号との前記差動増幅を行うことは、前記心臓信号の同相除去をもたらしながら前記神経学的信号の増幅を含む、請求項９に記載の埋込型医療装置。
【請求項１１】
第１の電極および第２の電極を具備する、少なくとも１つの埋込型医療用リードと、
前記第１の電極と電気的に結合された刺激出力と、
前記刺激出力に波形を提供する刺激エンジンであって、前記波形は、刺激パルス、その後に続く能動的再充電パルス、その後に続く受動的再充電、その後に続く再充電のない期間を含む刺激エンジンと、
前記第２の電極と電気的に結合された第１の検出入力と、
前記第１の検知入力に接続された差動増幅器と、
前記再充電のない期間の少なくとも一部の間に、前記差動増幅器から生理学的信号を取得するコントローラであって、刺激に前記波形を繰り返し生成させるコントローラと
を具備する埋込型医療装置と
を備える埋込型医療システム。
【請求項１２】
前記コントローラは、前記再充電のない少なくとも一部の間に加えて、前記受動的再充電の少なくとも一部の間に、前記生理学的信号を取得する、請求項１１に記載の埋込型医療システム。
【請求項１３】
前記受動的再充電は、２６４〜３９６マイクロ秒の時間行われる、請求項１１または１２に記載の埋込型医療システム。
【請求項１４】
前記刺激エンジンは、前記刺激パルスの終了後、前記能動的再充電パルスを提供する前に、６４〜９６マイクロ秒停止し、また前記刺激エンジンは、前記能動的再充電パルスの終了後、前記受動的再充電を提供する前に、８〜１２マイクロ秒停止する、請求項１１から１３までのいずれか一項に記載の埋込型医療装置。
【請求項１５】
前記コントローラは、ある時間にわたって発生する検知された前記生理学的信号のピークを閾値と比較し、前記閾値を超える各前記ピーク間の平均時間を計算し、各前記ピーク間の前記平均時間が特定された範囲内にある場合は、前記刺激パルスが発生した後、前記刺激エンジンに前記能動的再充電パルスおよびその後に続く前記受動的再充電を含めさせ、各前記ピーク間の前記平均時間が前記特定された範囲外にある場合は、前記刺激パルスが終了した後、前記刺激エンジンに、前記能動的再充電パルスの代わりに前記受動的再充電だけを含めさせ、各前記ピーク間の前記平均時間が前記特定の範囲内にあり、かつ前記特定の範囲が０．３７５秒から１．５秒にわたる場合、前記ピークは心臓の活動のピークと一致する、請求項１１から１４までのいずれか一項に記載の埋込型医療装置。
【請求項１６】
前記能動的再充電パルスは、基準パルスの振幅を持ち、前記コントローラは、前記検知入力から測定された前記生理学的信号のピーク値を測定し、次の波形の前記刺激パルスが終了した後、前記刺激エンジンは、前記基準パルスの振幅と異なる第１の調整されたパルスの振幅を持つ能動的再充電パルスを提供し、前記刺激エンジンは、前記コントローラが、前記ピーク値を設定された回数だけ測定し続け、前記能動的再充電パルスの振幅が、前記能動的再充電パルスを提供するそれぞれの時点の直前の前記能動的再充電パルスの振幅より大きい前記波形を繰り返し、前記コントローラは、どの能動的再充電パルスの振幅が最小ピーク値に対応するかを判断し、前記刺激エンジンは、繰り返された前記波形の前記能動的再充電パルスが、前記最小ピーク値に対応すると判断された前記能動的再充電パルスの振幅を持つ場合、前記波形を繰り返し続ける、請求項１１から１５までのいずれか一項に記載の埋込型医療装置。
【請求項１７】
第２の検知入力をさらに備え、前記少なくとも１つのリードは、前記第２の検知入力と電気的に結合される第３の電極を備え、前記生理学的信号は、前記第１の検知入力と前記第２の検知入力との間の差動信号として生じる神経学的信号を含み、一方前記生理学的信号は、前記第１の検知入力と前記第２の検知入力との間の同相信号として生じる心臓信号を含み、前記第１の検知入力で検知された前記生理学的信号と前記第２の検知入力で検知された前記生理学的信号との前記差動増幅を行うことは、前記心臓信号の同相除去をもたらしながら前記神経学的信号の増幅を含む、請求項１１から１６までのいずれか一項に記載の埋込型医療装置。
【請求項１８】
前記第１の電極と前記第２の電極とは、相異なる電極である、請求項１１から１７までのいずれか一項に記載の埋込型医療装置。
【発明の詳細な説明】
【技術分野】
【０００１】
[0001]実施形態では、生理学的信号を検知する装置および方法を提供する。詳細には、実施形態では、刺激療法が行われている間に、生理学的信号を検知する装置および方法を提供する。
【背景技術】
【０００２】
[0002]電気刺激療法は、様々な形態の治療で使用され得る。たとえば、刺激療法は、慢性疼痛、振戦などの神経学的問題に対処するために提供され得る。かかる例では、埋込型刺激装置は通常、好都合な一箇所に配置され、脳内、脊柱内、骨盤領域内、または他の場所などの刺激部位に配線される電気リードに接続される。電気リードは、刺激装置から刺激信号を送達するために、刺激部位で組織と境界面で接続する電極を備える。
【０００３】
[0003]刺激部位の近傍の生理学的信号を検知することもまた、有用であり得る。かかる信号は、治療される特定の状態に合わせて刺激療法を調整するために、および／または刺激信号に対する刺激部位の近傍の組織の応答をよりよく理解するために、有用であり得る。生理学的信号を検知することは、刺激療法が生理学的信号に基づいて少なくとも部分的に制御され得る場合に、特に有用であり得る。
【０００４】
[0004]刺激部位の近位で生理学的信号を検知することは、特に神経学的刺激システムにとって問題であり得る。体内の刺激部位近傍に存在し得る他の信号は、検知されるべき神経学的信号よりも数桁大きい電圧を持ち得る。たとえば、心臓が神経刺激装置およびリードの非常に近位にあり得ることを考えると、特に装置が上半身に配置されている時の深部脳刺激療法の場合には、心臓システムによって生成される電気信号は非常に問題となり得る。
【発明の概要】
【発明が解決しようとする課題】
【０００５】
本願発明の一実施例は、例えば、刺激療法中に生理学的信号を検知する装置および方法に関する。
【課題を解決するための手段】
【０００６】
[0005]実施形態では、検知される生理学的信号内に、非神経学的信号が好ましからざるアーチファクトを生成する可能性を低減する装置および方法を提供することによって、こうした問題および他の問題などに対処する。ある実施形態では、刺激パルスの後に行う能動的再充電、および、次いで能動的再充電の直後に行う受動的再充電を提供する。次いで、次の刺激パルスの前に生じる残りの期間、再充電はオフされ、ここで神経学的信号など、関心のある生理学的信号を検知するのに十分な時間を設ける。再充電がオフの間、検知用増幅器の差動入力に至る信号経路を通る、生成されたどんな多量の心臓または他の非神経学的な電流が流れるのも防ぐ、装置のアース電位への低インピーダンス経路はない。結果として、非神経学的信号は、検知用増幅器の両方の差動入力に、本質的に同じ電圧を引き起こし、その結果、非神経学的信号の同相除去が生じる。
【０００７】
[0006]実施形態では、体内の第１の電極から第１の刺激パルスを提供し、第１の刺激パルスが終了した後に、第１の電極から能動的再充電パルスを提供することを含む、刺激を提供し生理学的信号を検知する方法を提供する。この方法はさらに、能動的再充電パルスの終了後に、第１の電極から受動的再充電を提供し、受動的再充電の終了後に、一定期間再充電を提供しないことを含む。この方法はまた、再充電のない期間の少なくとも一部の間に、体内の第２の電極からの生理学的信号を検知し、再充電のない期間の後に、第１の電極から第２の刺激パルスを提供することを含む。
【０００８】
[0007]実施形態では、刺激出力、ならびに刺激パルスと、その後に続く能動的再充電パルスと、その後に続く受動的再充電と、その後に続く再充電のない期間とを含む波形を刺激出力に与える刺激エンジンを備える、埋込型医療装置を提供する。埋込型医療装置は、第１の検知入力と、第１の検知入力に接続された差動増幅器とをさらに備える。埋込型医療装置はまた、再充電のない期間の少なくとも一部の間に差動増幅器から生理学的信号を取得するコントローラを備え、このコントローラは、刺激エンジンに波形を繰り返し生成させる。
【０００９】
[0008]実施形態では、第１の電極と第２の電極とを具備する、少なくとも１つの埋込型医療用リードを備える、埋込型医療システムを提供する。埋込型医療システムは、第１の電極に電気的に結合された刺激出力を持つ埋込型医療装置をさらに備える。埋込型医療システムはまた、刺激出力に波形を与える刺激エンジンを備える。波形は、刺激パルスと、その後に続く能動的再充電パルスと、その後に続く受動的再充電と、その後に続く再充電のない期間とを含む。埋込型医療システムはまた、第２の電極に電気的に結合された第１の検知入力と、第１の検知入力に接続された差動増幅器とを備える。埋込型医療システムは、再充電のない期間の少なくとも一部の間に差動増幅器から生理学的信号を取得するコントローラを備え、このコントローラは、刺激に波形を繰り返し生成させる。
【図面の簡単な説明】
【００１０】
【図１】[0009]様々な実施形態による、刺激信号を提供すると同時に生理学的信号を検知する、埋込型医療システムの一例を持つ患者を示す図である。
【図２】[0010]刺激リードおよび検知リード、または検知兼刺激リードに取り付けられた医療装置を備える、埋込型医療システムを示す図である。
【図３】[0011]能動的再充電、受動的再充電、および長い再充電のない期間を実施する、医療装置の検知回路の一例を示す図である。
【図４】[0012]能動的再充電、受動的再充電、および長い再充電のない期間を含む刺激波形の、対応する検知状態を含めた第１の例を示す図である。
【図５】[0013]刺激波形の刺激パルス部分を提供するために使用される、第１の刺激エンジン回路構成を示す図である。
【図６】[0014]刺激波形の能動的再充電パルス部分を提供するために使用される、第２の刺激エンジン回路構成を示す図である。
【図７】[0015]刺激波形の受動的再充電部分を提供するために使用される、第３の刺激エンジン回路構成を示す図である。
【図８】[0016]刺激波形が再充電のない期間に使用される、第４の刺激エンジン回路構成を示す図である。
【図９】[0017]検知中に増幅されている非神経学的信号を最小限に抑えるために、刺激パルスの振幅に対する適切な能動的再充電パルス振幅比率を決定するための、１組の論理演算を示す図である。
【図１０】[0018]刺激エンジンが刺激ノードに対して受動的再充電を提供している時の、非神経学的信号源の等価回路、および医療装置の検知回路の差動増幅器への入力を示す図である。
【図１１】[0019]刺激エンジンが非神経学的信号源を同相除去するために再充電のない期間を提供している時の、非神経学的信号源の等価回路、および医療装置の検知回路の差動増幅器への入力を示す図である。
【図１２Ａ】[0020]刺激波形が、長い受動的再充電のみを利用し、有意な心臓エネルギーが検知された信号内に存在する場合の、検知された神経学的信号のスペクトル画像を示す図である。
【図１２Ｂ】[0021]刺激波形が、短い能動的再充電と、その後に続く長い受動的再充電とを利用し、有意な心臓エネルギーが検知された信号内に存在する場合の、検知された神経学的信号のスペクトル画像を示す図である。
【図１２Ｃ】[0022]刺激波形が、実質的な能動的再充電と、その後に続く短い受動的再充電とを利用し、心臓エネルギーが検知された信号内に存在する場合の、検知された神経学的信号のスペクトル画像を示す図である。
【図１３】[0023]能動的再充電と、その後に続く受動的再充電および再充電のない期間とを実施するかどうかを決定するための、１組の論理演算を示す図である。
【図１４】[0024]検知された信号、ならびに検知された信号および閾値に基づく検出信号を示す図である。
【発明を実施するための形態】
【００１１】
[0025]実施形態では、検知された信号上の非神経学的信号のアーチファクトの存在を最小限に抑える、医療装置および関連する方法を提供する。実施形態では、能動的再充電期間と、それに続く受動的再充電期間と、次いで再充電されない期間とを含む、刺激波形を利用し、少なくとも再充電されない期間中に検知が実行される。ある実施形態では、能動的再充電なしで受動的再充電を使用しながら、検知された信号中に非神経学的信号アーチファクトが存在するかどうかを判断し、次いで、非神経学的信号アーチファクトが存在する時、能動的再充電とその後に続く受動的再充電を使用するよう切り替える。さらに、ある実施形態では、アーチファクトをさらに最小限に抑えるために、刺激パルス振幅に対する能動的再充電振幅の比率を最適化する。
【００１２】
[0026]図１は、様々な実施形態での動作環境の一例を示す。埋込型医療システム１００は、患者１１２の体内に埋め込まれる。埋込型医療システム１００は、刺激リード１０４に結合された、刺激および検知装置１０２を備える。刺激および検知装置１０２は、導電性の外側筐体１０６と、刺激リード１０４の近位端が配置される穴を具備するヘッダ１０８とを備える。刺激リード１０４は、リード本体１０９と、患者１１２の体内の刺激部位に配置される、リード本体１０９の遠位端上にある１つまたは複数の電極１１０とを備える。刺激装置１０２は、刺激リード１０４の導体を介して電極１１０に送達される刺激信号を生成し、その刺激信号は、そこで患者１１２の組織に入る。
【００１３】
[0027]この例では、ヘッダ１０８はまた、検知リード１１４の近位端が配置される穴を備える。検知リード１１４は、リード本体１１６と、刺激部位から発する生理学的信号を取り込むことができるように、患者１１２の体内の刺激部位の近位に配置される１つまたは複数の電極１１８、１２０とを備える。刺激および検知装置１０２は、非神経学的信号が患者１１２内に存在する可能性がある時、コンデンサ再充電モードを設け、生理学的信号を検知する。
【００１４】
[0028]上記の例では、刺激信号の提供専用の刺激リード１０４と、生理学的信号の検知専用の検知リード１１４とを設ける。さらに別の例では、同じ１つまたは複数のリードが、刺激機能と検知機能との両方を提供するために使用され得る。たとえば、単一のリードの１つまたは複数の電極が、刺激信号を患者１１２の組織に送達するために使用されてもよく、その同じリードの１つまたは複数の相異なる電極が、刺激部位から発する生理学的信号を検知するために使用されてもよい。あるいは、複数のリード上にある複数の電極が、刺激信号を送達するために使用されてもよく、一方、複数のリードの一方または両方に備えられる１つまたは複数の電極が、生理学的信号を検知するために使用されてもよい。かかる場合には、リードは、刺激エンジンと検知回路との両方に電気的に接続され、この選択肢は、以下で論じられる図２において破線で示されている。ある例では、刺激信号を提供するために使用されるのと同じ電極が、検知を実行するために使用されてもよい。かかる例では、１つまたは複数のスイッチが、刺激エンジン２０６および検知回路２０４を、同じ電極に選択的に接続するために使用され得る。たとえば、刺激エンジン２０６は、検知回路２０４を電極に接続する前などに、電極から切り離され得る。かかる場合には、電極が再充電経路を設けることにもはや関与しないように、再充電が完了すると、電極の検知モードへの切り替えが始まる。
【００１５】
[0029]刺激信号を提供するため、かつ生理学的信号を検知するために使用される、１つまたは複数のリードは、様々な種類のものであり得る。一例では、単純な電極アレイ形状を持つリードが、刺激および／または検知に使用されてもよい。単純な電極アレイ形状の一例は、リードの長さ方向に沿って相異なる軸方向位置に分配された、１つまたは複数のリング電極を含み得る。単純な電極アレイ形状の別の例は、脊椎刺激部位などのための、パドル状リード上の電極の平面アレイである。
【００１６】
[0030]別の実施形態では、刺激信号を提供するため、かつ生理学的信号を検知するために使用される１つまたは複数のリードは、複雑な電極アレイ形状を持ってもよい。電極が共通の平面または共通の軸を共有する単純な電極アレイ形状とは対照的に、複雑な電極アレイ形状とは、一般に、刺激電極を複数の非平面または非同軸位置に配置することを指す。本開示による複雑な電極アレイ形状の一例は、リード線の長さ方向に沿った相異なる軸方向位置ばかりでなく、リードの周囲、たとえば円周まわりの相異なる角度位置に配置された電極アレイである。ある実施形態では、複雑なアレイ形状の電極は、従来のリング電極の不連続な弧状セグメントと同様に見え得る。複雑な電極アレイ形状を持つリードは、かかる電極セグメントの複数の「リング」を備えることができる。各リングは、相異なる軸方向位置に配置されている。所与のリング内の各電極セグメントは、相異なる角度位置に配置されている。リードは、円筒形であってもよく、または様々な直径の円形断面を備えてもよい。かかるリードは、「セグメント化された」リードと呼ばれることがある。
【００１７】
[0031]複雑な電極アレイ形状の別の例は、リードの複数の平面または表面上に配置された電極アレイである。実例として、電極アレイは、特に脊椎刺激部位のために、パドル状リードの反対側の平面上、または多角形断面を持つリードの複数の表面上に配置され得る。複雑なアレイ形状の例は、本出願の譲受人に譲渡された「Ｅｌｅｃｔｒｉｃａｌ  ａｎｄ  Ａｃｔｉｖａｔｉｏｎ  Ｆｉｅｌｄ  Ｍｏｄｅｌｓ  ｆｏｒ  Ｃｏｎｆｉｇｕｒｉｎｇ  Ｓｔｉｍｕｌａｔｉｏｎ  Ｔｈｅｒａｐｙ」という名称の米国特許第７，８２２，４８３号に示され、かつ説明されている。適合性電極（ｃｏｎｆｏｒｍａｂｌｅ  ｅｌｅｃｔｒｏｄｅ）、カフ電極、セグメント電極、または単極性、双極性もしくは多極性電極構成を形成することができる任意の他の種類の電極を含む、他の種類の検知および／または刺激電極が、本開示に従って使用され得る。
【００１８】
[0032]刺激信号は、単極性構成、双極性構成、または多極性構成などの様々な電極構成を使用して送達され得る。単極性刺激構成とは、一般に、電流のソースとなる導電性外側筐体１０６上のアノードと、電流のシンクとなる１つまたは複数のリード線（たとえば１０４、１１４）上の１つまたは複数のカソードとの使用を指す。双極性刺激構成とは、一般に、電流のソースとなるリード（たとえばリード１０４）上のアノードと、電流のシンクとなる、同じリードおよび／または別のリード上のカソードとの使用を指す。多極性刺激構成は、一般に、それぞれが電流のソースとなる、１つのリード（たとえばリード１０４）上の複数のアノードと、電流のシンクとなる、同じリードまたは別のリード上の１つまたは複数のカソードとの使用、あるいは電流のソースとなる１つのリード上の１つのアノードと、電流のシンクとなる、同じリードまたは別のリード上の複数のカソードとの使用を指す。
【００１９】
[0033]単極性電極の関係と双極性電極の関係との両方を組み合わせたハイブリッド刺激構成は、全極性構成（ｏｍｎｉｐｏｌａｒ  ａｒｒａｎｇｅｍｅｎｔ）と呼ばれることがある。全極性構成では、筐体上のアノードが、リード上の少なくとも１つのアノードおよびリード上の少なくとも１つのカソードと実質的に同時に、刺激パルスを送達するために使用されてもよい。この場合、全極性構成では、リード上の少なくとも１つのアノードおよび筐体上の少なくとも１つのアノードが、リード上の少なくとも１つのカソードと共に、同時に使用され得る。他の全極性構成では、筐体上のカソードが、リード上の少なくとも１つのカソードおよびリード上の少なくとも１つのアノードと実質的に同時に、刺激パルスを送達するために使用されてもよい。この別の場合には、全極性構成では、リード上の少なくとも１つのカソードおよび筐体上の少なくとも１つのカソードが、リード上の少なくとも１つアノードと共に、同時に使用され得る。上記の電極構成、または他の電極構成のいずれかが、本開示に記載された技法に従って、電気刺激を送達するために使用され得る。
【００２０】
[0034]図２は、埋込型医療システム１００をより詳細に示す。ここでは、刺激装置１０２は、刺激エンジン２０６、検知回路２０４、およびコントローラ２０２を備える。従来の刺激エンジン２０６は、ヘッダブロック１０８内の刺激リード１０４との電気接続部２１０を介して刺激経路に印加される、刺激パルスおよび再充電パルスを生成する。検知回路２０４は、ヘッダブロック１０８内の検知リード１１４との接続部２０８を介して、生理学的信号を取り込む。検知機能および刺激機能が１つまたは複数の同じリードを使って提供される実施形態では、刺激エンジン２０６と検知回路２０４との両方が、同じ１つまたは複数のリードに、適宜結合され得る。かかる選択肢は、図２のリード１１４について破線を用いて図示され、刺激エンジン２０６の任意選択の電気的接続部は、リード１１４に電気的に接続されており、電極１１８または１２０の一方が刺激するために使用されているのに対して、他方の電極は検知するために使用されていることを示す。
【００２１】
[0035]刺激エンジン２０６は、様々な形態の療法の間に、電圧制御された刺激または電流制御された刺激を提供することができる。刺激エンジン２０６が実施する、患者の運動障害にうまく対処するための深部脳刺激（ＤＢＳ：ｄｅｅｐ  ｂｒａｉｎ  ｓｔｉｍｕｌａｔｉｏｎ）療法に有効であると考えられている、電気刺激のパラメータおよび対応する範囲の具体例は、以下を含む。
【００２２】
１．周波数：刺激信号は、たとえば、約０Ｈｚから約１０，０００Ｈｚの間、ある例では約０Ｈｚから約５００Ｈｚの間、または約２Ｈｚから約２５０Ｈｚの間の、第１の周波数範囲内の信号成分を含むことができる。
【００２３】
２．電圧振幅：約０ボルトから約２５ボルトの間など、約０ボルトから約５０ボルトの間。
３．電流振幅：電流振幅は、約０ミリアンペアから約４０ミリアンペアの間、または約０から２５ミリアンペアの間であり得る。
【００２４】
４．パルス幅：約１０マイクロ秒から約１０００マイクロ秒の間、または約１０マイクロ秒から約４５０マイクロ秒の間など、約１マイクロ秒から約５０００マイクロ秒の間。
[0036]検知回路２０４は、刺激信号を回避することで、刺激部位の近位で生理学的信号を取り込むことができる。たとえば、検知回路２０４は、刺激信号の間ばかりでなく、もしあれば、刺激信号の後の能動的再充電部分の間で、ブランキングを利用することができる。従って、刺激パルスおよび能動的再充電パルスは、検知回路２０４が、刺激パルス間の時間の中で、正確な生理学的データを取り込むことができるように、検知回路２０４に悪影響を与えない。
【００２５】
[0037]この例では、コントローラ２０２は、検知回路２０４および刺激エンジン２０６の動作を調整する。コントローラ２０２は、刺激療法中に生じる刺激の様々な動作段階を、起動および停止する。段階は、刺激パルスが送達される刺激出力段階と、刺激エンジン２０６内の刺激経路の中の結合コンデンサ上の電圧をクリアする再充電段階とを含み得る。段階はまた、再充電なしの期間を含み得る。同様に、受動的再充電信号が単独で使用される場合、コントローラ２０２は、検知回路２０４のブランキングスイッチを起動して、刺激信号、および受動的再充電信号のピークなどの受動的再充電信号の少なくとも一部を除去する。能動的再充電パルス、その後に続く短い受動的再充電信号、およびその後に続く長い再充電のない期間では、生理学的信号を検知するための所望の時間に応じて、能動的再充電パルスの一部または全部を除去することに加えて、一部の受動的再充電信号が除去され得る。
【００２６】
[0038]コントローラ２０２は、様々な形態であり得る。たとえば、コントローラ２０２は、刺激エンジン２０６および検知回路２０４の動作をもたらすプログラミング命令を実施する、汎用のプログラム可能なプロセッサを含み得る。他の例として、コントローラ２０２は、専用プロセッサおよび／またはハードウェアで実現されたデジタル論理回路を含み得る。
【００２７】
[0039]図３は、刺激パルスばかりでなく、もしあれば能動的再充電パルスの一部または全部を除去する、検知回路２０４の一例を示す。各検知電極１１８、１２０は、コントローラ２０２によって制御されるブランキングスイッチ３０２、３０４に電気的に結合されている。ブランキングスイッチは、個別のトランジスタなどのシリコンで、または以下で論じられる、より複雑な構成で実現され得る。コントローラ２０２は、スイッチに、電極１１８、１２０からの信号を導通させるか、または信号の導通を停止させる、ブランキング制御信号３０６、３０８を提供する。スイッチ３０２、３０４は、再充電段階後の時間から、次の刺激段階の開始前の時間まで導通し、検知信号からの刺激アーチファクトを除去するために、少なくとも刺激段階およびその後に続く再充電段階のピークの間に導通を停止する。
【００２８】
[0040]ブランキングスイッチ３０２、３０４の後に、それぞれの信号経路内で、検知された信号から無関係の周波数をなくする高域通過フィルタおよび低域通過フィルタの両方を含むフィルタ３１０が続くことができる。フィルタ処理された信号は、検知された信号出力３１４を生成するために、所望される通りに振幅を拡大する、従来の差動増幅器３１２への入力として提供される。フィルタ３１０は、ブランキング期間中に生じ得る、ＤＣから減結合するための高域通過フィルタを含み得る。フィルタ３１０は、波形の広がりを回避し、高周波の干渉による整流効果を回避するための、低域通過フィルタを含むことができる。
【００２９】
[0041]図４は、刺激療法の波形４００およびブランキング制御信号４２０を含む、１組の信号およびその関連するタイミングを示す。図に見られるように、刺激療法の波形４００は、パルス幅ＰＷＳを持つ刺激パルス４０２、その後に続く比較的短いオフ期間４０４（たとえば６４〜９６μｓ）、その後に続く反対の極性の能動的再充電パルス４０６を含む。能動的再充電を使用することによって、再充電パルス４０６は、受動的再充電パルスのように減衰するのではなく、安定した振幅で提供され得る。能動的再充電パルス４０６はまた、受動的再充電パルスのピークよりも大きい振幅を持つことができ、従って、コンデンサをクリアするために再充電を行う時間は、劇的に低減される。さらに、生理学的信号を検知する前にコンデンサをクリアすることは、非神経信号からアーチファクトを取り除くのに有益である。従って、この例にあるように、能動的再充電パルス４０６は、刺激パルス４０２の終了直後に提供される。
【００３０】
[0042]ブランキング制御信号４２０は、ブランキング制御スイッチを導通状態にバイアスして電流が流れることを可能にする振幅で保持される。しかし、ブランキング制御信号４２０は、ブランキング制御スイッチを導通状態から非導通状態にバイアス解除して電流が流れないようにする反転パルス４２２を含む。ブランキング制御信号４２０は、ブランキング制御信号反転パルス４２２が刺激パルス４０２の直前に始まり再充電パルス４０６の直後に終わるように、刺激波形４００に適時に同期される。その結果、ブランキング制御信号反転パルス４２２により、刺激パルス４０２全体および能動的再充電パルス４０６の少なくとも大部分の間、電流の流れが遮断される。
【００３１】
[0043]能動的再充電パルス４０６は、刺激パルス４０２のパルス幅に対して一定し得るパルス幅ＰＷＡＲを持つ。この場合、能動的再充電パルス４０６の振幅は、パルス幅の時間内にコンデンサを効果的にクリアするよう設定され得る。上記のように、コンデンサをクリアすることは、信号アーチファクトを取り除く助けとなる。これを確実に実現する１つのやり方は、能動的再充電の振幅を刺激パルスの振幅のある比率に設定し、検知された信号を測定し、比率を調整し、そして信号アーチファクトが最小になるまで繰り返すことである。これは、図９を参照して以下により詳細に論じられる。
【００３２】
[0044]一旦能動的再充電パルス４０６が完了し、再充電のない非常に短い期間４０８（たとえば８〜１２μｓ）４０８が生じた後に、刺激エンジンの受動的再充電スイッチが導電状態に遷移する間、受動的再充電期間４１０が生じる。受動的再充電４１０は、次の刺激パルスのためにコンデンサを完全に準備するコンデンサの平衡化を完了し、それによって刺激の振幅のロスを避け、あらゆる電荷中性の問題を回避する。受動的再充電４１０の持続時間ＴＰＲは、特定の固定値（たとえば、２６４〜３９６μｓ）に設定され、次いで効果的にコンデンサをクリアして信号アーチファクトを最小限に抑えるように、受動的再充電の固定された持続時間に照らして、能動的再充電の比率が調整されることを可能にし得る。
【００３３】
[0045]次いで、比較的長い再充電のない期間４１２が、受動的再充電期間４１０の後に続く。再充電のない期間４１２は、受動的再充電４１２の終了と次の刺激パルスの開始との間の有効な時間に等しい持続時間ＴＮＲを持つ。この次の刺激パルスは、刺激エンジンによって現在使用されている刺激の、所与の比率に従って発生する。
【００３４】
[0046]能動的再充電パルス４０６の終わり、および再充電のない期間４１２の始めの近くのある点で、ブランキングスイッチは、信号部分４２４で、ブランキング信号４２０の状態の反転で示されるように、反転される。信号部分４２４の間、ブランキングスイッチは、受信された信号を導通して、検知された信号の取り込みおよび増幅を可能にする。従って、検知された信号は、少なくとも再充電のない期間４１２の間に、取り込まれ増幅されている。ある実施形態では、検知された信号はまた、受動的再充電４１０の一部または全部の間、および可能性として、能動的再充電パルス４０６の終了部分またはオフ期間４０８の間に取り込まれてもよい。
【００３５】
[0047]図５〜図８は、刺激エンジンが、図４の刺激波形４００の位相のそれぞれをもたらすために利用することができる、回路構成の例を示す。図５は、刺激パルス４０２を生成するための構成を具体的に示す。この例の刺激エンジンは、刺激経路の第１のコンデンサ５０６を通って、刺激電極が配置されている身体の組織（たとえば、脳によってもたらされる抵抗、ＲＢＲＡＩＮ）を通って、かつ刺激経路の別のコンデンサ５０８を通って電流を流す、第１の電流源５０２を備える。第２の電流源５０４は、この電流をシステムのアースに引き込む。複数の電流源５０２、５０４が示されているが、その代わりに、単一の電流源が使用され得ることが理解されよう。さらに、電流源が図５に示されているが、その代わりに、１つまたは複数の電圧源が使用され得ることがさらに理解されよう。
【００３６】
[0048]図６は、能動的再充電パルス４０６を生成するための構成を具体的に示す。この例の刺激エンジンは、図５の電流源５０２、５０４とは反対方向に、刺激経路の第２のコンデンサ５０８を通って、身体の組織（たとえば、ＲＢＲＡＩＮ）を通って、かつ刺激経路の第１のコンデンサ５０６を通って電流を流す、第１の電流源６０２を備える。第２の電流源６０４は、この電流をシステムのアースに引き込む。複数の電流源６０２、６０４が示されているが、その代わりに、単一の電流源が使用され得ることが理解されよう。さらに、電流源が図６に示されているが、その代わりに、１つまたは複数の電圧源が使用され得ることがさらに理解されよう。
【００３７】
[0049]図７は、受動的再充電期間４１０をもたらすための構成を具体的に示す。ここでは、刺激エンジンは、両方の刺激経路を接地し、それによって両方のコンデンサ５０６、５０８を、低インピーダンス経路を介してアースに短絡させる。図１０に関して以下で論じられるように、この低インピーダンス経路は、心臓システムのＥＣＧ信号などの非神経学的な発生源からのアーチファクトが取り込まれ増幅されることを可能にし得る。従って、受動的再充電の段階は、たとえば、図４に関して上記で論じられたように、２６４〜３９６μｓなどの最小の一定時間に、最短に留められる。
【００３８】
[0050]図８は、再充電のない期間４１２をもたらすための構成を具体的に示す。ここでは、刺激エンジンは、いかなる特定の電圧電位にも電気的に接続しないことによって、両方の刺激経路が電気的に浮くことを可能にする。システムのアースへのこの高インピーダンス経路は、検知回路の差動増幅器における非神経学的信号の同相除去をもたらす。
【００３９】
[0051]図９は、上記で論じられた能動的再充電比率を設定するためにコントローラ２０２によって使用され得る、１組の論理演算を示す。この例の能動的再充電比率は、能動的再充電パルス４０６の振幅を基準の能動的再充電パルスの振幅の何パーセントかになるよう設定し、検知された信号内のアーチファクトを最小にするという観点から、刺激経路のコンデンサ５０６、５０８を最良にクリアするため、この基準は、典型的には、刺激パルス４０２の振幅である。最初は、動作９０２で、刺激波形４００が、それぞれの反復が異なる能動的再充電比率を使用して、繰り返し利用される。たとえば、最初の反復で比率０．８を使用し、２度目に０．９を使用し、３度目に１を使用し、４度目に１．１を使用し、５度目に１．２を使用することができる。
【００４０】
[0052]１組の能動的再充電比率がそれぞれ使用されると、動作９０４で、結果として生じる各検知された信号のピーク間の振幅が測定される。次いで、コントローラ２０２は、動作９０６において、検知された信号の最小ピーク間振幅を生成した能動的再充電比率を選択する。次いで、刺激エンジンは、動作９０８において、能動的再充電パルス４０６の振幅を設定するために選択された能動的再充電比率を使用した、刺激波形４００の生成を開始する。次いで、埋込型医療装置１０２が、コントローラ２０２に、何らかのやり方で刺激波形４００を変更させるプログラムを受信するなどまで、刺激エンジンはいつまでも続行し、次いで埋込型医療装置は、プログラムが、能動的再充電比率はいくらあるべきかを既に特定していない限り、コントローラ２０２に、図９の動作を再度使用した能動的再充電比率の設定のトリガを与え得る。
【００４１】
[0053]別の例が、動作９１０に至る図９の破線の動作フローによって示され、生理学的な変数および装置の変数が経時的にドリフトするかもしれず、その結果、異なる能動的再充電比率が最終的にはより良い選択となり得る可能性を説明している。この例では、コントローラ２０２は、能動的再充電比率が最初に選択された時から２４時間など、設定された時間に達するまで、刺激波形４００が、選択された能動的再充電比率で継続することを可能にし得る。その時点で、コントローラ２０２は、ピーク間振幅を最小にする能動的再充電比率を再度見つけるために図９の動作９００を繰り返し、次いで動作９１０で、その能動的再充電を、測定された時間の次の期間で使用するよう選択することができる。
【００４２】
[0054]図１０は、受動的再充電構成をモデル化する等価回路１０００を示す。この回路は、心臓１００２などの非神経学的な発生源、ならびに身体を介した、検知回路の差動増幅器１０２０のノード１０１６、１０１８（たとえば、検知電極１１８、１２０）までの電気経路、および刺激経路のノード１０１４（たとえば刺激ノード１１０）までの電気経路を備える。抵抗１００４、１００６、１００８、および１０１０は、様々なノード間に位置する組織を表す。この抵抗は、通常１．５キロオームの範囲にある。この受動的再充電構成では、刺激経路ノード１０１４は、図７のようにアースに接続されている。従って、電流が心臓１００４から組織の抵抗１００４を通って検知ノード１０１６に流れる、確立された電気経路がある。
【００４３】
[0055]ノード１０１６の増幅器入力がアースに短絡していないことを考えると、電気経路は、組織の抵抗１００６を通って中央ノード１０１２まで続き、中央ノード１０１２は、ノード１０１８での増幅器１０２０の大きな入力インピーダンスのために、組織の抵抗１０１０を通る電流がほとんどまたは全くないので、本質的に検知ノード１０１８と同じ電圧を持つ。電気経路は、中央ノード１０１２からさらなる組織の抵抗１００８を通ってシステムアースである刺激ノード１０１４まで続く。従って、心臓１００２によって生成されたこの電流の流れは、ノード１０１６に第１の電圧が生じ、一方、ノード１０１８に第２の電圧が生じるという結果をもたらす。ノード１０１６の電圧（ＶＥ２）、および式２で示されるノード１０１８の電圧（ＶＥ０）は、心臓１００２の電圧（ＶＨｅａｒｔ）、組織１０１６、１０１８の抵抗（Ｒｔｉｓｓｕｅ）、および装置漏れ抵抗１００４（Ｒｌｅａｋａｇｅ）の関数である。ノード１０１６の電圧（ＶＥ２）およびノード１０１８の電圧（ＶＥ０）は、それぞれ式１および式２で、以下に示される。
【００４４】
（式１）ＶＥ２＝ＶＨｅａｒｔ×（２×Ｒｔｉｓｓｕｅ）／（Ｒｌｅａｋａｇｅ＋（２×Ｒｔｉｓｓｕｅ））
（式２）ＶＥ０＝ＶＨｅａｒｔ×（Ｒｔｉｓｓｕｅ）／（Ｒｌｅａｋａｇｅ＋（２×Ｒｔｉｓｓｕｅ））
[0056]式１および式２から分かるように、ノード１０１８の電圧は、ノード１０１６の電圧の半分である。差動増幅器１０２０がノード１０１６における信号と１０１８における信号との間の差を増幅することを考えると、かなりの量の心臓信号が増幅されている。以下でより詳細に論じられる図１２Ａ、図１２Ｂ、および図１２Ｃは、能動的再充電はあるが再充電のない期間がない組合せ、最後に能動的再充電、非常に短い受動的再充電期間、次いで長い再充電のない期間の組合せでの、この構成のみを使用した結果を示す。
【００４５】
[0057]図１１は、再充電のない期間の構成をモデル化した等価回路１１００を示す。この回路は、心臓１００２などの非神経学的な発生源、ならびに身体を介した、検知ノード１０１６、１０１８および刺激ノード１０１４までの電気経路を備える。しかし、この再充電のない構成では、刺激経路ノード１０１４は、図８のように電気的に浮いていることが可能である。従って、電流が心臓１００４から組織の抵抗１００８を通って流れることができる、確立された低インピーダンス電気経路はもはや存在しない。
【００４６】
[0058]差動増幅器１０２０は、抵抗１１０２および１１０４として表される、それぞれの差動入力における入力インピーダンスを持つ。これらは通常、２メガオームなどのメガオーム範囲である。これらの入力インピーダンスは図１０の受動的再充電構成１０００にも存在するが、ノード１０１４からアースへの低インピーダンス経路が、入力インピーダンスを、ノード１０１６および１０１８における電圧と無関係にする。しかし、図１１の再充電のない構成１１００では、ノード１０１４が浮くことを可能にすることは、電流が、差動増幅器１０２０の入力に流れ込むだけになるという結果をもたらす。従って、これらの入力インピーダンスは重要である。
【００４７】
[0059]これらの入力インピーダンスが信号経路内の組織によって示される組織の抵抗、具体的にはノード１０１６と１０１８との間の抵抗１００６および１０１０よりも劇的に大きいことを考えると、ノード１０１６に存在する電圧は、ノード１０１８に存在する電圧と本質的に同じである。ノード１０１６の電圧は、本質的に、心臓１００２の電圧（ＶＨｅａｒｔ）、漏れ抵抗１００４（Ｒｌｅａｋａｇｅ）、および増幅器入力インピーダンス１１０２（Ｒｉｎｐｕｔ）の関数である。ノード１０１８の電圧は、本質的に心臓１００２の電圧（ＶＨｅａｒｔ）、漏れ抵抗１００４（Ｒｌｅａｋａｇｅ）、増幅器入力インピーダンス１１０４（Ｒｉｎｐｕｔ）、および組織の抵抗１００６、１０１０（２×Ｒｔｉｓｓｕｅ）の関数である。従って、ノード１０１６の電圧（ＶＥ２）およびノード１０１８の電圧（ＶＥ０）は、それぞれ式３および式４で、以下の通りである。
【００４８】
（式３）ＶＥ２＝ＶＨｅａｒｔ×（Ｒｉｎｐｕｔ）／（Ｒｌｅａｋａｇｅ＋Ｒｉｎｐｕｔ）
（式４）ＶＥ０＝ＶＨｅａｒｔ×（Ｒｔｉｓｓｕｅ）／（Ｒｌｅａｋａｇｅ＋（２×Ｒｔｉｓｓｕｅ）＋Ｒｉｎｐｕｔ）
[0060]検知電極間の差は些細であり、その差は、分母に２つの組織の抵抗を加えた結果にすぎないことが分かる。約３キロオームの足し算である分母へのこの足し算は、約２メガオームの入力抵抗を含む、より大きな分子と比較して、重要ではない。この些細な差だけが存在することを考えると、心臓の信号は、主に２つの検知電極間の同相信号として提示され、従って増幅器１０２０による心臓信号の同相除去が行われる。
【００４９】
[0061]図１０および図１１の構成では、取り込まれるべき生理学的信号、すなわち標的部位から発せられる神経学的信号は、一方の検知ノード１０１６から他方の検知ノード１０１８への大きな差を提供することになる。取り込まれるべきこの生理学的信号は、一方の検知電極の近くの領域から他方の検知電極に向かって伝播し、その結果２つの検知電極間に差動信号をもたらす。この差動信号は、差動増幅器１０２０によって増幅され、最終的に検知された信号としてコントローラ２０２に提供され、そこで信号は、以降の目的のために使用されるか、または後で引き出すために格納され得る。
【００５０】
[0062]図１２Ａ〜図１２Ｃは、差動増幅器１０２０によって増幅された、検知された信号のスペクトル画像を示す。周波数は縦軸に沿って表され、時間は横軸に沿って表される。図示されるように、トレースは、最大強度の周波数を示している。図１２Ａは、受動的再充電のみを使用した結果を実証するスペクトル画像１２０２を示す。図１２Ｂは、短い能動的再充電を、次の刺激パルスの時間まで延びる長い受動的再充電と共に使用した結果を実証するスペクトル画像１２０６を示す。これらのスペクトル画像１２０２および１２０６の両方に見られるように、垂直スパイクによって示される、広い周波数（たとえば、最大１００Ｈｚ）にわたる、かなりの心臓エネルギーがある。心臓エネルギーの存在を表すスパイクは、楕円１２０４および１２０８によって示される領域内で明らかである。こうした強度の心臓エネルギーは、図１０に示す状態によって増幅された信号内に現れる。
【００５１】
[0063]受動的再充電がほんの短い時間、たとえば３３０μｓである図４の刺激波形４００による、図１２Ｃのスペクトル画像１２１０へ移ると、受動的再充電は非常に短時間であるため、心臓のエネルギーはほとんどまたは全く取り込まれていない。従って、図１１の再充電のない回路構成１１００では、検知期間を管理し、同相除去は対応する長い再充電のない期間に行われているので、心臓エネルギーは、検知された信号から取り除かれる。楕円１２１２によって示される領域内のトレースには、もはや垂直スパイクがないので、心臓エネルギーがないことは明らかである。
【００５２】
[0064]能動的再充電を利用してコンデンサをより迅速にクリアすることは、図１２Ｃに示される長い再充電のない期間を可能にする。しかし、能動的再充電は、埋込型医療装置１０２によってエネルギーが提供されることを必要とする。上記で論じられ、図６に示されるように、電流源６０２および６０４は、刺激経路のキャパシタ５０６、５０８を通る電流を逆方向に流して、刺激パルスの間に蓄積された電荷をより迅速にクリアする。従って、能動的再充電は、受動的再充電のみが使用されている場合よりも急速に、埋込型医療装置の電池内の電荷量を減少させる可能性がある。
【００５３】
[0065]バッテリのこの増加した消耗を考慮するため、埋込型医療装置１０２のある実施形態では、能動的再充電が必要かどうかを判断するために、図１３の例１３００のような論理演算を利用することができる。装置の状態、患者の生理機能などの経時的な変化のために、心臓エネルギーが検知された信号内にアーチファクトとして取り込まれる可能性が変動するかもしれない。従って、能動的再充電は、例１３００に従って、好ましからざるアーチファクトを取り除くのに必要な時にだけ利用され得る。
【００５４】
[0066]こうした論理演算は、動作１３０２で、長い受動的再充電を含む刺激波形を使用しながら、コントローラ２０２が検知信号を取得することで始まる。この時点で、この波形は、能動的再充電がまだ必要とされていない場合などで受動的再充電のみが使用されていてもよく、または能動的再充電と受動的再充電の両方を既に含んでいてもよい。しかし、この検出プロセスの実施について、受動的再充電の期間は意味を持っているべきであり、それにより、受動的再充電期間中の検知のためのウィンドウが、非神経学的発生源の有意な複数のサイクルを可能にする。たとえば、受動的再充電は、受動的再充電のその期間中に少なくとも１０回の心拍が発生したことを確実にするために、１５秒間活動状態であり得る。
【００５５】
[0067]検知された信号が取得されると、コントローラ２０２は、動作１３０４において、検知閾値を使って検知信号を生成する。図１４は、検知された信号１４０２および検出閾値１４０６の一例を示す。検出閾値は、検知された信号１４０２内に存在する非神経学的アーチファクトのピーク１４０８より低いが、検知信号１４０２内の神経学的信号のピークより高い、ある振幅に設定される。検出閾値を使用することで検出信号１４０４を生成し、検出信号は、検知された信号１４０２が検出閾値１４０６を超えるそれぞれの時点でのパルス１４１０を含む。
【００５６】
[0068]検出信号１４０４を取得すると、コントローラ２０２は、動作１３０６において、設定された数のパルス、たとえば１０個のパルスについての、検出信号パルス間の平均間隔（図１４のＴＡＶＥ）を計算する。次いで、この平均間隔は、関心のある非神経学的信号にとって典型的な期間を定義する範囲と比較され得る。たとえば、典型的な脈拍数は、０．３７５秒間隔（すなわち脈拍１６０／分）から１．５秒間隔（すなわち脈拍４０／分）までのいずれかである。質問動作１３０８でコントローラ２０２によって判断されるように、平均間隔が、検出信号が関心のある非神経学的発生源によって生成されていない可能性が高いことを示す範囲外にある場合、動作１３１２で、コントローラ２０２は、受動的再充電だけが使われるモードを利用する。平均間隔がこの範囲内に入る場合、コントローラ２０２は、動作１３１０で、能動的再充電、その後に続く短い受動的再充電期間、およびその後に続く長い再充電のない期間を含むモードを利用する。
【００５７】
[0069]例１３００の一実施形態では、論理演算は終了し、装置は選択されたモードをいつまでも使用し続ける。たとえば、外部のプログラマがコントローラ２０２に動作１３００を繰り返すよう命令するまで、モードは継続され得る。別の実施形態では、動作フローの破線で示されるように、動作１３１０または１３１２でモードが選択された後、コントローラ２０２は、動作１３１４で、２４時間などの設定された期間にわたって、選択されたモードを使って継続する。次いで、コントローラ２０２は、その時に最も適切なモードを再度設定するために、動作１３０２から始まる動作を繰り返す。従って、埋込型医療装置１０２は、動作１３１４において設定された期間だけは、理想的ではないかもしれないモードで動作する。
【００５８】
[0070]実施形態が具体的に示され説明されてきたが、本発明の趣旨および範囲から逸脱することなく、その中で形態および詳細における他の様々な変更がなされ得ることが、当業者によって理解されよう。
【図１】
2020508739.tif 000003
【図２】
2020508739.tif 000004
【図３】
2020508739.tif 000005
【図４】
2020508739.tif 000006
【図５】
2020508739.tif 000007
【図６】
2020508739.tif 000008
【図７】
2020508739.tif 000009
【図８】
2020508739.tif 000010
【図９】
2020508739.tif 000011
【図１０】
2020508739.tif 000012
【図１１】
2020508739.tif 000013
【図１２Ａ】
2020508739.tif 000014
【図１２Ｂ】
2020508739.tif 000015
【図１２Ｃ】
2020508739.tif 000016
【図１３】
2020508739.tif 000017
【図１４】
2020508739.tif 000018
【国際調査報告】
2020508739.tif 000019
2020508739.tif 000020